(57)【要約】【課題】開閉式の大入賞口への遊技球の規定入賞球数を超えた超過入賞を排除して、超過入賞数分の賞球の払い出しを極力減らすことができるパチンコ遊技機を提供する。【解決手段】第２大入賞口１４ａを開閉する開閉部材２１と排出孔２５を開閉する閉塞部材２２が連動連結され、駆動機構２３のソレノイドアクチュエータ３４により開閉部材２１と閉塞部材２２が駆動されて開閉動作を行う。第２大入賞口１４ａ内において規定入賞球に達するまでは閉塞部材２２により排出孔２５が閉塞され、遊技球Ｐが開閉部材２１と閉塞部材２２により入賞孔２４に導かれる一方、規定入賞球数に達すると直ちに閉塞部材２２により排出孔２５が開放され、開閉部材２１と閉塞部材２２により遊技球Ｐが排出孔２５に案内される。【選択図】図４
2010068945.tif 000002
【特許請求の範囲】
【請求項１】
遊技盤と、大入賞口を開閉する大入賞口装置を備えたパチンコ遊技機において、
前記大入賞口装置は、
大入賞口内に夫々形成された入賞孔及び規定入賞数を超えた遊技球を排出するための排出孔と、
前記大入賞口を開閉可能な開閉部材と、
前記開閉部材と連動連結されて前記排出孔を開閉可能な閉塞部材と、
規定入賞球数に達するまでは遊技球を入賞孔に導き、規定入賞球数に達すると直ちに遊技球を排出孔に案内するように前記開閉部材と閉塞部材を駆動する駆動手段とを備えたことを特徴とするパチンコ遊技機。
【請求項２】
前記閉塞部材は、前記開閉部材の下端から下方へ延びるように一体的に形成され、
前記開閉部材は、遊技盤の盤面と直交する軸回りに開閉動作するように構成されたことを特徴とする請求項１に記載のパチンコ遊技機。
【請求項３】
前記排出孔は、前記大入賞口内において入賞孔よりも上流側に形成され、
前記駆動手段は、前記開閉部材が開位置のとき閉塞部材が排出孔を閉塞し、開閉部材が閉位置のとき閉塞部材が排出孔を開放するように開閉部材と閉塞部材とを駆動することを特徴とする請求項１又は２に記載のパチンコ遊技機。
【請求項４】
前記閉塞部材は前記開閉部材とは別の別部材で構成され、
前記開閉部材と閉塞部材は遊技盤の盤面と直交する軸回りに夫々開閉動作するように構成されたことを特徴とする請求項１に記載のパチンコ遊技機。
【請求項５】
前記排出孔が前記大入賞口内において入賞孔よりも上流側に形成され、
前記閉塞部材は、前記排出孔と入賞孔を択一的に開くように構成され、
前記駆動手段は、前記開閉部材が開位置のとき閉塞部材が排出孔を閉塞し、開閉部材が閉位置のとき閉塞部材が排出孔を開放するように開閉部材と閉塞部材とを駆動することを特徴とする請求項４に記載のパチンコ遊技機。
【請求項６】
前記閉塞部材は、前記入賞孔と排出孔を択一的に開くように構成され、
前記閉塞部材は、遊技盤の盤面に形成した摺動穴から盤面と直交方向へ突出して入賞孔を閉じる閉位置と、盤面から突出しない開位置とに亙って移動可能な第１閉塞体と、遊技盤の盤面に形成した摺動穴から盤面と直交方向へ突出して排出孔を閉じる閉位置と、盤面から突出しない開位置とに亙って移動可能な第２閉塞体とを有し、
前記第１閉塞体に形成した第１ラック部と、前記第２閉塞体に形成した第２ラック部と、第１，第２ラック部間に装着されたピニオンとを含むラックピニオン機構であって、第１閉塞体が入賞孔を閉じる状態では第２閉塞体が排出孔を開き且つ第１閉塞体が入賞孔を開く状態では第２閉塞体が排出孔を閉じるように作動するラックピニオン機構を有することを特徴とする請求項３に記載のパチンコ遊技機。
【請求項７】
前記排出孔が前記大入賞口内において入賞孔よりも上流側に形成されたことを特徴とする請求項６に記載のパチンコ遊技機。
【発明の詳細な説明】
【技術分野】
【０００１】
本発明は、大入賞口を開閉する大入賞口装置を備えたパチンコ遊技機に関するものである。
【背景技術】
【０００２】
従来、パチンコ遊技機には、遊技盤の盤面に図柄始動入賞口と、大入賞口を開閉する大入賞口装置と、特別図柄を変動表示可能な特別図柄表示器などが設けられている。大入賞口装置は、盤面と平行方向の水平な軸回りに開閉動作する開閉部材を有する。図柄始動入賞口に遊技球が入賞すると、特別図柄が所定時間変動表示し、変動後の停止図柄が大当り図柄柄態様になった場合に大入賞口装置が作動して開閉部材が開閉動作を行って、通常は閉じている大入賞口が開放され、遊技者に有利な大当り遊技状態が発生する。
【０００３】
この大当り遊技状態では、所定の入賞条件に基づいて、例えば、大入賞口の開放動作が最大で設定回数（例えば、１５ラウンド）まで繰り返され、大入賞口の各開放は、大入賞口に所定数（例えば、１０個）の遊技球が入賞するか、その開放時から所定時間（例えば、３０秒間）経過するまで維持される。そして、遊技球の入賞１個について、予め設定された数の賞球が払い出される（例えば、特許文献１参照）。
【０００４】
また、近年、パチンコ遊技機には、遊技盤の盤面に別個独立に配設された第１，第２大入賞口を夫々開閉する第１，第２大入賞口装置とが設けられている。例えば、第１大入賞口装置は、盤面の略中央に配設されたセンタ役物の側部に設けられ、盤面と直交する軸回りに開閉動作する第１開閉部材を有する。第２大入賞口装置は、センタ役物よりも下側に設けられ、盤面と平行方向の水平な軸回りに開閉動作する第２開閉部材を有する。
【特許文献１】特開２００４−２４７５０号公報
【発明の開示】
【発明が解決しようとする課題】
【０００５】
従来から、大入賞口を開放する各ラウンドは、検出スイッチにより規定入賞球数の入賞が検出されたことを以って終了する。規定入賞球数が検出されると、開閉部材は開位置から閉位置へ開閉動作を行う。このとき、開閉部材が閉位置に戻るまでの間に大入賞口に遊技球が入賞する場合がある。この場合、その規定入賞球数を超えた超過入賞も有効となるので、遊技者は予定以上の賞球を得ることができる。
【０００６】
特に、開閉部材が盤面と直交する軸回りに開閉動作する開閉部材を備えた大入賞口装置の場合、アーム長が長い開閉部材では、その開閉部材の開閉動作時間が長いので、開閉部材が開位置から閉位置へ達するまでに規定入賞球数を超えた遊技球の入賞が予想以上に多くなり、その機種において設定された１回の大当りで払い出される賞球を維持できず、多くの賞球を払い出すことになるという問題がある。
【０００７】
本発明の目的は、開閉式の大入賞口への遊技球の規定入賞球数を超えた超過入賞を排除して、超過入賞数分の賞球の払い出しを極力減らすことができるパチンコ遊技機を提供することである。
【課題を解決するための手段】
【０００８】
上記目的を達成するために本発明は以下のような構成を採用した。尚、括弧内の参照符号は、本発明の理解を助けるために図面との対応関係の一例を示したものであり、本発明の範囲を何ら限定するものではない。
請求項１のパチンコ遊技機は、遊技盤(4)と、大入賞口(14a)を開閉する大入賞口装置(14)を備えたパチンコ遊技機(1)である。大入賞口装置(14)は、大入賞口(14a)を開閉可能な開閉部材(21,21A,21B)と、開閉部材(21,21A,21B)と連動連結されて排出孔(25)を開閉可能な閉塞部材(22,51,62)と、規定入賞球数に達するまでは遊技球(P)を入賞孔(24)に導き、規定入賞球数に達すると直ちに遊技球(P)を排出孔(25)に案内するように前記開閉部材(21,21A,21B)と閉塞部材を駆動する駆動手段(34,54,71)とを備えたことを特徴としている。
【０００９】
このパチンコ遊技機(1)においては、大入賞口(14a)を開閉する開閉部材(21,21A,21B)と排出孔(25)を開閉する閉塞部材(22,51,62)が連動連結され、駆動手段(34,54,71)により開閉部材(21,21A,21B)と閉塞部材(22,51,62)が駆動される。開閉部材(21,21A,21B)と閉塞部材(22,51,62)の開閉動作により、大入賞口(14a)内において規定入賞球球に達するまでは遊技球(P)が入賞孔(24)に導かれる一方、規定入賞球数に達すると直ちに遊技球(P)が排出孔(25)に案内される。
【００１０】
請求項２のパチンコ遊技機は、請求項１の発明において、閉塞部材(22)は、開閉部材(21)の下端から下方へ延びるように一体的に形成され、開閉部材(21)は、遊技盤(4)の盤面(4c)と直交する軸回り開閉動作するように構成されたことを特徴としている。
【００１１】
請求項３のパチンコ遊技機は、請求項１又は２の発明において、排出孔(24)は、大入賞口(14a)内において入賞孔(24)よりも上流側に形成され、閉塞部材(22)は、排出孔と入賞孔を択一的に開くように構成され、駆動手段(34)は、開閉部材(21)が開位置のとき閉塞部材(22)が排出孔(25)を閉塞し、開閉部材(21)が閉位置のとき閉塞部材(22)が排出孔(25)を開放するように開閉部材と閉塞部材とを駆動することを特徴としている。
【００１２】
請求項４のパチンコ遊技機は、請求項１の発明において、閉塞部材(51)は開閉部材(21A)とは別の別部材で構成され、開閉部材(21A)と閉塞部材(51)は遊技盤(4)の盤面(4c)と直交する軸回りに夫々開閉動作するように構成されたことを特徴としている。
請求項５のパチンコ遊技機は、請求項４の発明において、排出孔(25)が前記大入賞口(14a)内において入賞孔(24)よりも上流側に形成され、閉塞部材(51)は、排出孔(25)と入賞孔(24)を択一的に開くように構成され、駆動手段(54)は、開閉部材(21A)が開位置のとき閉塞部材(51)が排出孔(25)を閉塞し、開閉部材(21A)が閉位置のとき閉塞部材(51)が排出孔(25)を開放するように開閉部材(21A)と閉塞部材(51)とを駆動することを特徴としている。
【００１３】
請求項６のパチンコ遊技機は、請求項３の発明において、閉塞部材(62)は、入賞孔(24)と排出孔(25)を択一的に開くように構成され、閉塞部材(62)は、遊技盤(4)の盤面(4c)に形成した摺動穴(65)から盤面(4c)と直交方向へ突出して入賞孔(24)を閉じる閉位置と、盤面(4c)から突出しない開位置とに亙って移動可能な第１閉塞体(63)と、遊技盤(4)の盤面(4c)に形成した摺動穴(66)から盤面(4c)と直交方向へ突出して排出孔(25)を閉じる閉位置と、盤面(4c)から突出しない開位置とに亙って移動可能な第２閉塞体(64)とを有し、第１閉塞体(63)に形成した第１ラック部(67)と、第２閉塞体(64)に形成した第２ラック部(68)と、第１，第２ラック部(67,68)間に装着されたピニオン(69)とを含むラックピニオン機構(70)であって、第１閉塞体(63)が入賞孔(24)を閉じる状態では第２閉塞体(64)が排出孔(25)を開き且つ第１閉塞体(63)が入賞孔(24)を開く状態では第２閉塞体(64)が排出孔(25)を閉じるように作動するラックピニオン機構(70)を有することを特徴としている。
【００１４】
請求項７のパチンコ遊技機は、請求項６の発明において、排出孔(25)が大入賞口(14a)内において入賞孔(24)よりも上流側に形成されたことを特徴としている。
【発明の効果】
【００１５】
請求項１の発明によれば、大入賞口内に入賞孔及び排出孔を夫々形成し、開閉部材と、開閉部材と連動連結されて排出孔を開閉可能な閉塞部材と、規定入賞球数に達するまでは遊技球を入賞孔に導き、規定入賞球数に達すると直ちに遊技球を排出孔に案内するように開閉部材と閉塞部材を駆動する駆動手段とを備えたので、大入賞口への遊技球の規定入賞球数を超えた超過入賞を排除して、超過入賞数分の賞球の払い出しを極力減らすことができる。それ故、その機種において設定された１回の大当りで払い出される賞球を維持することができる。
【００１６】
請求項２の発明によれば、閉塞部材は、開閉部材の下端から下方へ延びるように一体的に形成され、開閉部材は、遊技盤の盤面と直交する軸回りに開閉動作するように構成されたので、規定入賞球数に達した後直ちに遊技球を排出孔に案内できるため、大入賞口への遊技球の規定入賞球数を越えた入賞を確実に排除することができる。
【００１７】
請求項３の発明によれば、排出孔は、大入賞口内において入賞孔よりも上流側に形成され、閉塞部材は、排出孔と入賞孔を択一的に開くように構成され、駆動手段は、開閉部材が開位置のとき閉塞部材が排出孔を閉塞し、開閉部材が閉位置のとき閉塞部材が排出孔を開放するように開閉部材と閉塞部材とを駆動するので、規定入賞球数に達するまでは遊技球を入賞孔に確実に導くことできる一方、規定入賞球数に達した後は遊技球を排出孔に確実に案内することができる。
【００１８】
請求項４の発明によれば、閉塞部材は開閉部材とは別の別部材で構成され、開閉部材と閉塞部材は遊技盤の盤面と直交する軸回りに夫々開閉動作するように構成されたので、請求項１と同様の効果を奏する。
【００１９】
請求項５の発明によれば、排出孔が大入賞口内において入賞孔よりも上流側に形成され、閉塞部材は、排出孔と入賞孔を択一的に開くように構成され、駆動手段は、開閉部材が開位置のとき閉塞部材が排出孔を閉塞し、開閉部材が閉位置のとき閉塞部材が排出孔を開放するように開閉部材と閉塞部材とを駆動する排出孔が大入賞口内において入賞孔よりも上流側に形成されているので、請求項３と同様の効果を奏する。
【００２０】
請求項６の発明によれば、閉塞部材は、盤面と直交方向へ突出して入賞孔を閉じる閉位置と、盤面から突出しない開位置とに亙って移動可能な第１閉塞体と、盤面と直交方向へ突出して排出孔を閉じる閉位置と、盤面から突出しない開位置とに亙って移動可能な第２閉塞体とを有し、第１閉塞体に形成した第１ラック部と、第２閉塞体に形成した第２ラック部と、第１，第２ラック部間に装着されたピニオンとを含むラックピニオン機構であって、第１閉塞体が入賞孔を閉じる状態では第２閉塞体が排出孔を開き且つ第１閉塞体が入賞孔を開く状態では第２閉塞体が排出孔を閉じるように作動するラックピニオン機構を有するので、請求項１，３と同様の効果を奏する。
【００２１】
請求項７の発明によれば、排出孔が大入賞口内において入賞孔よりも上流側に形成されたので、請求項５と同様の効果を奏する。
【発明を実施するための最良の形態】
【００２２】
以下、本発明を実施例するための最良の形態について実施例に基づいて説明する。
本実施例は、遊技盤と、大入賞口を有する大入賞口装置を備えたパチンコ遊技機に、本発明を適用した場合の一例である。
【実施例１】
【００２３】
本発明の実施例１について図面に基づいて説明する。
図１、図２に示すように、第１種パチンコ機に分類されるパチンコ遊技機１には、パチンコホールの島構造体に取り付けられる外枠に開閉枠２が開閉自在に装着され、開閉枠２ａに開閉扉３が開閉自在に装着されている。開閉枠２には遊技盤４が装着され、その遊技盤４の前面側に遊技領域５が形成されている。開閉扉３には窓部３ａが形成され、その窓部３ａに透明板３ｂが装着され、その透明板３ｂにより遊技領域５の前側が覆われている。
【００２４】
開閉扉３の上部には複数の装飾ランプ（枠ランプ）３ｃが設けられ、窓部３ａの下側には、所謂チャンスボタンと呼ばれる遊技者が操作可能な演出ボタン９と、発射用の遊技球Ｐや入賞球を貯留する貯留皿６と、遊技者が操作する発射ハンドル７が装着されている。発射ハンドル７が回動操作されると、貯留皿６から発射位置に導入された遊技球Ｐが発射される。ここで、貯留皿６に複数の遊技球Ｐが存在する場合には、例えば、複数の遊技球Ｐが約０．６秒間隔で連続的に発射される。発射された遊技球Ｐは、ガイドレール８で案内されて遊技領域５の頂部に投入される。
【００２５】
図２に示すように、鉛直な盤面４ｃを形成する遊技盤４には、多数の障害釘１０、始動入賞口装置１１、ゲート１２、第１大入賞口装置１３、第２大入賞口装置１４、普通入賞口１５、画像表示器１６、センタ役物１７が遊技領域５に装着され、遊技領域５外に遊技表示盤１８が装着され、遊技盤４の裏側に制御装置２０（図１０参照）が装着されている。遊技盤４は、盤面４ｃを形成する表面板４ａ（化粧板）と、この表面板４ａの裏側に配設される合板からなる遊技盤本体部４ｂとから構成されている（図６参照）。
【００２６】
遊技領域５の頂部に投入された遊技球Ｐは、遊技領域５の多数の障害釘１０や風車１０ａに当たって方向を変えながら落下して、始動入賞口装置１１の始動入賞口１１ａ、１１ｂ、ゲート１２、第１大入賞口装置１３の第１大入賞口１３ａ、第２大入賞口装置１４の第２大入賞口１４ａ、複数の普通入賞口１５の何れかに入賞して遊技領域５外へ排出されるか、最下端まで落下してアウト口１９から遊技領域５外へ排出される。
【００２７】
図２に示すように、始動入賞口装置１１は、センタ役物１７の下側に配置され、電チューと呼ばれる左右１対の開閉部材を備えた電動式チューリップ型役物を含む構成であり、ゲート式の上始動入賞口１１ａと、開閉式の下始動入賞口１１ｂ、下始動入賞口１１ｂを開閉する開閉部材１１ｃ、始動入賞口１１ａ、１１ｂに入賞した遊技球Ｐを検出する始動口ＳＷ１１ｄ、開閉部材１１ｃを開閉駆動する電チューソレノイド１１ｅを有する。開閉部材１１ｃは、左右対称形状の２つの短い羽根部材が盤面４ｃと直交する軸回りに回動するように構成され、閉塞位置で下始動入賞口１１ｂへの遊技球Ｐの入賞を不可能にし、開放位置で下始動入賞口１１ｂへの遊技球Ｐの入賞を可能にする。尚、図２の点線で示す開閉部材１１ｃは閉塞位置にある。
【００２８】
ゲート１２はセンタ役物１７の左側に配置され、このゲート１２を通過した遊技球Ｐを検出するゲートＳＷ１２ａが付設されている。ゲート１２を遊技球Ｐが通過することを契機とする抽選により当選した場合に、始動入賞口装置１１が作動して、通常は閉塞の下始動入賞口１１ｂを開閉するように開閉部材１１ｃを開閉動作させる。
【００２９】
第１大入賞口装置１３は、始動入賞口装置１１の下側に配置され、第１大入賞口１３ａ、第１大入賞口１３ａを開閉する開閉部材１３ｂ、第１大入賞口１３ａに入賞した遊技球Ｐを検出する第１大入賞口ＳＷ１３ｃ、開閉部材１３ｂを開閉駆動するソレノイドアクチュエータ１３ｄ（第１大入賞口ソレノイド）を有する。開閉部材１３ｂは、盤面４ｃと平行方向の水平な軸回りに動作するように構成され、閉位置で第１大入賞口１３ａへの遊技球Ｐの入賞を不可能にし、開放位置で第１大入賞口１３ａへの遊技球Ｐの入賞を可能にする。尚、図２の開閉部材１３ｂは閉位置にある。
【００３０】
遊技表示盤１８は、遊技領域５の下側の右側領域に前方へ向けて配置され、７セグメント表示器からなる特別図柄表示器１８ａ、○×に表示可能な普通図柄表示器１８ｂ、４つの特別図柄保留ランプ１８ｃ、４つの普通図柄保留ランプ１８ｄを備え、これら表示器１８ａ〜１８ｄは発光ダイオード（ＬＥＤ）を発光源としている。特別図柄表示器１８ａでは、始動入賞口１１ａ，１１ｂへの遊技球Ｐの入賞を契機に行われる抽選の結果が変動表示後に表示され、普通図柄表示器１８ｂでは、ゲート１２を遊技球Ｐが通過することを契機に行われる抽選の結果が変動表示後に表示される。
【００３１】
特別図柄表示器１８ａの変動表示中に、始動入賞口１１ａ，１１ｂに入賞した入賞球の個数であって、特別図柄の変動が未だ実行されていない保留数が最大で４つまで保留され、特別図柄保留ランプ１８ｃには、その特別図柄の保留数が表示される。同様に、普通図柄表示器１８ｂの変動表示中に、ゲート１２を通過した遊技球Ｐの数であって、普通図柄の変動が未だ実行されていない保留数が最大で４つまで保留され、普通図柄保留ランプ１８ｄには、その普通図柄の保留数が表示される。
【００３２】
画像表示器１６は、液晶ディスプレイ（ＬＣＤ）からなり、枠状のセンタ役物１７内の開口に配置されている。この画像表示器１６には、例えば、図２に示すように３つの図柄列からなる演出図柄が表示される。この演出図柄は、リーチや大当りに対する遊技者の期待感を喚起するために演出目的で表示されるものである。遊技者は、この演出図柄の停止態様を見て特別図柄表示器の特別図柄の停止態様が当りか否かを認識することができる。つまり、演出図柄は、特別図柄の変動表示に連動して変動表示され、演出図柄の停止図柄の組み合わせが特定の組み合わせで表示された場合には（例えば、「７７７」）、遊技状態が通常の遊技状態から大当り状態や確率変動大当り状態などの特別利益状態に移行される。
【００３３】
また、画像表示器１６には、単に演出図柄が変動表示されるだけでなく、演出図柄変動表示中に、キャラクタ（例えば、人間や動物など）を用いて演出図柄の変動表示にストーリー性を持たせて遊技者のリーチや大当りへの期待感を高めるためのリーチ演出画像や大当り予告演出画像等の特定演出画像、また、遊技者に演出ボタン９の操作を求めるメッセージなどが表示される。
【００３４】
図２に示すように、遊技盤４の盤面４ｃの中央部の略円形領域にセンタ役物１７が配置され、このセンタ役物１７を囲繞するように、左側仕切り部１７ａと、下側仕切り部１７ｂと、右側仕切り部１７ｃと上側仕切り部１７ｄとが設けられている。左側仕切り部１７ａの中段部には正面視にて右下がりに傾斜した第２大入賞口１４ａが形成されている。左側仕切り部は第２大入賞口１４ａの上側の上部仕切り体１４ｂと、第２大入賞口１４ａの下側の下部仕切り体１４ｃとを有する。
【００３５】
図２〜図４に示すように、第２大入賞口１４ａは、前記の上部及び下部仕切り体１４ｂ，１４ｃと、右側仕切り板１４ｄとを有する。この第２大入賞口１４ａの前面は、合成樹脂製のカバー体３９で覆われている。図４に示すように、第２大入賞口１４ａに入賞した遊技球Ｐは、大入賞口１４ａ内を転動して入賞孔２４を通過して、遊技盤４の裏側に設けられた排出機構（図示略）に排出される。この第２大入賞口１４ａを開閉可能な第２大入賞口装置１４が設けられている。
【００３６】
次に、第２大入賞口装置１４について詳しく説明する。
図３〜図７に示すように、第２大入賞口装置１４は、第２大入賞口１４ａ内に形成された入賞孔２４及び規定入賞球数を超えた遊技球Ｐを排出するための排出孔２５と、遊技盤４の盤面４ｃと直交する軸回りに開閉動作する開閉部材２１と、開閉部材２１と連動連結された閉塞部材２２と、開閉部材２１と閉塞部材２２を駆動する駆動機構２３とを備えている。
【００３７】
入賞孔２４は、第２大入賞口１４ａの右奥端に形成され、入賞孔２４の奥には第２大入賞口ＳＷ１４ｅが付設されている。排出孔２５は、第２大入賞口１４ａ内において入賞孔２４よりも上流側（遊技球流入側）に且つ閉塞部材２２よりも下流側に形成されている。
【００３８】
図３〜図５に示すように、開閉部材２１は、その下端部に盤面４ｃと直交する枢支軸２６とその長さ方向途中部に係合ピン２７とを有し、枢支軸２６が遊技盤４に固定した合成樹脂製の軸受け部材２８に回動自在に挿通支持され、係合ピン２７が遊技盤４に形成された位置決め用の円弧穴２９に係合されることで、開閉部材２１が図３に示す閉位置と、図４に示す開位置とに亙って移動可能に構成されている。開閉部材２１が閉位置のとき第２大入賞口１４ａが閉塞され、開位置のとき第２大入賞口１４ａが開放される。
【００３９】
開閉部材２１は、盤面４ｃと直交する方向に所定の幅を有し、軽量化し慣性モーメントを小さくして開閉動作の応答性を高めるため、例えば合成樹脂材料で軽量に構成されている。但し、中空体に構成してもよいし、合成樹脂発泡体の表面を表皮で覆った部材で構成してもよい。
【００４０】
図３〜図５に示すように、閉塞部材２２は、盤面４ｃと直交する方向に開閉部材２１と同じ幅を有し、軽量化し慣性モーメントを小さくして開閉動作の応答性を高めるため、例えば合成樹脂材料で軽量に構成され、開閉部材２１の下端から下方へ延びるように開閉部材２１と一体成形されている。閉塞部材２２は、開閉部材２１が閉位置のときは排出孔２５を開く開位置（図３参照）と、開閉部材２１が開位置のときは排出孔２５を閉塞する閉位置（図４参照）とに亙って移動可能に構成されている。
【００４１】
図５に示すように、閉塞部材２２の上面は開閉部材２１の上面と同一面となるように形成されており、開閉部材２１と閉塞部材２２の上面は、遊技球Ｐを第２大入賞口１４ａへ案内する下方下り傾斜状の案内面３０に形成されている。図４に示すように、開閉部材２１が開位置にあるとき、案内面３０は遊技球Ｐを第２大入賞口１４ａへ導くように右方下り傾斜状になる。
【００４２】
次に、開閉部材２１と閉塞部材２２を駆動する駆動機構２３について説明する
図３〜図６に示すように、開閉部材２１と閉塞部材２２を駆動する駆動機構２３は、開閉部材２１を枢支する枢支軸２６と、枢支軸２６の後端に一体成形されたアーム部材３１と、このアーム部材３１と一体成形された作動ピン３２と、この作動ピン３２に係合された係合部材３３と、この係合部材３３を所定ストローク駆動可能なソレノイドアクチュエータ３４（第２大入賞口ソレノイド）とを有する。
【００４３】
前記開閉部材２１と閉塞部材２２と係合ピン２７、枢支軸２６とアーム部材３１と作動ピン３２は、夫々、例えば合成樹脂材料又はアルミ合金やマグネシウム合金等の材料で一体成形されている。枢支軸２６は遊技盤４の背方から開閉部材２１の軸穴に挿入し固着されている。
図５，図６に示すように、枢支軸２６の前部は、開閉部材２１の下端の軸穴に挿入し固着され、その後部は軸受け部材２８に挿通支持されて遊技盤４の背面に突出されており、その後端部に盤面４ｃと平行に所定長さ延びるアーム部材３１の基端部が一体成形され、アーム部材３１の先端部に作動ピンが３２一体形成され、この作動ピン３２はアーム部材３１よりも後方へ突出している。図７に示すように、係合ピン２７の後部は遊技盤４に形成された円弧穴２７に係合し、開閉部材２１の開閉動作に連動して係合ピン２９が円弧穴２９内を動いて円弧穴２９の端部に当接することで、開閉部材２１の開位置と閉位置とが位置決めされる。尚、係合ピン２７ａの後端部にはストップリング２７ａが装着されている。
【００４４】
図５，図６に示すように、ソレノイドアクチュエータ３４は遊技盤４の後方に傾斜状に配設され、出力軸の軸心は、開閉部材２１の閉位置のときの作動ピン３２の軸心と開位置のときの作動ピン３２の軸心とを結ぶ線と平行になっている。但し、この配置に限定される訳ではない。
【００４５】
ソレノイドアクチュエータ３４の出力軸３４ａの先端に例えば合成樹脂又はアルミ合金やマグネシウム合金等の材料で構成された係合部材３３が固着されている。この係合部材３３には、作動ピン３２の直径の約１．５倍の長さの長穴３５が出力軸３４ａと直交状に形成され、作動ピン３２が係合している。作動ピン３２の後端には作動ピン３２が長穴３５から抜けないようにストップリング３２ａが装着されている。開閉部材２１が開閉する際に作動ピン３２が円弧軌跡を描くとき、作動ピン３２が長穴内３５を動くから、ソレノイドアクチュエータ３４により作動ピン３２を円滑に駆動することができる。
【００４６】
ソレノイドアクチュエータ３４に通電して駆動すると（励磁状態）、その出力軸３４ａに係合した係合部材３３が所定ストローク退入移動して、係合部材３３の長穴３５と作動ピン３２を介してアーム部材３１と開閉部材２１と閉塞部材２２が一体的に回動する。即ち、図３に示す閉位置から係合ピン２７が係合穴２９の上端から下端へ移動して、図４に示す開位置まで枢支軸２６を中心に反時計回りに一体的に回動し、開閉部材２１と閉塞部材２２が右方下がり傾斜状になり、第２大入賞口１４ａが開放され、閉塞部材２２により排出孔２５が閉塞される。第２大入賞口１４ａに入賞した遊技球Ｐは、開閉部材２１と閉塞部材２２により入賞孔２４に導かれ、入賞孔２４を通過して第２大入賞口ＳＷ１４ｅで検出後、遊技盤４の裏側の排出機構に誘導されると共に、受け皿６に予め設定された賞球が払い出される。
【００４７】
一方、ソレノイドアクチュエータ３４への通電を停止すると（消磁状態）、出力軸３４ａが所定ストローク伸長作動して、係合部材３３の長穴３５と作動ピン３２を介してアーム部材３１と開閉部材２１と閉塞部材２２とが図４に示す開位置から係合ピン２７が係合穴２９の下端から上端へ移動して、図３の閉位置まで枢支軸２６を中心に時計回り方向に一体的に回動して、開閉部材２１と閉塞部材２２が略直立姿勢になり、第２大入賞口１４が閉塞されるとともに、排出孔２５が開放される。
【００４８】
図８に示すように、制御装置２０は、メイン制御装置４０とサブ制御装置４１とで構成されている。メイン制御装置４０は、メイン制御基板４０ａと、メイン制御基板４０ａに実装されたＣＰＵとＲＯＭとＲＡＭを備えている。サブ制御装置４１は、サブ制御基板として、払出制御基板４２、演出制御基板４３、画像制御基板４４、ランプ制御基板４５を備えている。これら複数の制御基板４２〜４５に夫々実装されたＣＰＵとＲＯＭとＲＡＭを備えている。なお、演出制御基板４３は、ＲＴＣ（リアルタイムクロック）も実装されている。
【００４９】
メイン制御基板４０ａが、ゲートＳＷ１２ａ、始動口ＳＷ１１ｄ、第１大入賞口ＳＷ１３ｃ、第２大入賞口ＳＷ１４ｅ、普通入賞口ＳＷ１５ａから検出信号を受けて、また、払出制御基板４２から制御情報を受けて、電チューソレノイド１１ｅ、第１大入賞口ソレノイド１３ｄ、第２大入賞口ソレノイド３４、特別図柄表示器１８ａ、普通図柄表示器１８ｂ、特別図柄保留ランプ１８ｃ、普通図柄保留ランプ１８ｄを制御する。
【００５０】
払出制御基板４２は、メイン制御基板４０ａから制御情報を受けて、払出駆動モータ４６を駆動制御し、各入賞口１１ａ，１１ｂ，１３ａ，１４ａ，１５への遊技球Ｐの入賞１個について、各入賞口１１ａ，１１ｂ，１３ａ，１４ａ，１５毎に設定された数の入賞球が貯留皿６に払い出される。演出制御基板４３は、メイン制御基板４０ａから制御情報を受けて、また、演出ボタン９から入力信号を受けて、画像制御基板４４とランプ制御基板４５に夫々制御情報を出力する。
【００５１】
画像制御基板４４は、演出制御基板４３から制御情報を受けて、画像表示器１６とスピーカ４７を制御し、ランプ制御基板４５は、演出制御基板４３から制御情報を受けて、主に画像制御基板４４による制御に同期させて、枠ランプ３ｃと盤ランプ４８と可動役物４９を制御する。例えば、スピーカ４７と枠ランプ３ｃは開閉扉３に設けられ、盤ランプ４８と可動役物４９は遊技盤４の所定の箇所に設けられている。
【００５２】
以上、説明したパチンコ遊技機１の作用、効果について説明する。
メイン制御基板４０ａは、始動入賞口１１ａ，１１ｂへの遊技球Ｐの入賞を契機に行われる大当り抽選で当選した場合に、大当り遊技として、第１，第２大入賞口１３ａ，１４ａの一方を開放した後に規定入賞球数（例えば、１０個）の遊技球Ｐの入賞又は規定時間（例えば、３０秒間）の経過により第１，第２大入賞口１３ａ，１４ａの一方を閉塞して終了するラウンドを複数ラウンド（例えば、１５ラウンド）継続させるように第１，第２大入賞口装置１３，１４を制御する。
【００５３】
第２大入賞口１４ａを開放する各ラウンドにおいては、メイン制御基板４０ａは、第２大入賞口ソレノイド３４を駆動制御して規定入賞球数に達するまでは遊技球Ｐを入賞孔２４に導くように開閉部材２１を開位置、閉塞部材２２を閉位置へ移動させる。第２大入賞口検出ＳＷ１４ｅにより入賞孔２４への規定入賞球数の遊技球Ｐの通過が検出されると、メイン制御基板４０ａは第２大入賞口ソレノイド３４の駆動制御を停止して開閉部材２１を閉位置、閉塞部材２２を開位置に直ちに移動させる。
【００５４】
遊技球Ｐの図柄始動口１１ａ，１１ｂへの入賞時点で抽選された結果が大当りの場合、その変動後の特別図柄の停止図柄が大当り態様となり、開閉部材２１が開閉動作することになる。開閉部材２１が開位置に移動したとき、閉塞部材２２により排出孔２５が閉塞されるので、第２大入賞口１４ａに入賞した遊技球Ｐを入賞孔２４へスムーズに導くことができる。
【００５５】
一方、第２大入賞口検出ＳＷ１４ｅにより入賞孔２４への規定数の遊技球Ｐの入球が検出されると、開閉部材２１が閉位置に移動したとき、閉塞部材２２が開位置へ移動して第２大入賞口１４ａが閉塞される。ところで、開閉部材２１が開位置から閉位置へ移動する間に遊技球Ｐが第２大入賞口１４ａに入賞した場合、閉塞部材２２の開動作により入賞孔２４よりも上流側に形成された排出孔２５が開放されるので、超過入賞した遊技球Ｐを排出孔２５に導くことができるため、規定入賞球数を超えた遊技球Ｐの超過入賞を排除して、超過入賞数分の賞球の払い出しを極力減らすことができる。
【００５６】
前記実施例１を部分的に変更する例について説明する。
１〕前記実施例では、開閉部材２１と係合ピン２７を一体成形したが、これらを別体に成形してもよい。枢支軸２６とアーム部材３１と作動ピン３２を一体成形したが複数の部材で構成してもよい。
２〕前記実施例の開閉部材２１と閉塞部材２２の形状及び大きさは、その一例として示したに過ぎず、それらの機能を損なわない範囲内で適宜変更してもよい。
【００５７】
３〕ソレノイドアクチュエータ３４は、通電により出力軸が伸長し、通電停止により出力軸が退入する構造でもよい。ソレノイドアクチュエータ３４の代わりに、圧電アクチュエータや電動モータを採用してもよい。
【００５８】
４〕前記実施例では、第１種パチンコ機に分類されるパチンコ遊技機１に本発明を適用したが、羽根モノと呼ばれる第２種パチンコ機に分類されるパチンコ遊技機に本発明を適用してもよい。
【実施例２】
【００５９】
次に、実施例２のパチンコ遊技機について図９，図１０に基づいて説明する。尚、実施例１と同様の構成部材については同様の符号を付してその説明を省略する。
図９，図１０に示すように、第２大入賞口装置１４Ａは、第２大入賞口１４ａ内に形成された入賞孔２４及び規定入賞球数を超えた遊技球Ｐを排出するための排出孔２５と、遊技盤４の盤面４ｃと直交する軸回りに開閉動作する開閉部材２１Ａと、開閉部材２１Ａと連動連結された閉塞部材５１と、開閉部材２１Ａと閉塞部材５１を連動駆動する連動駆動機構５０とを有する。図９，図１０に示すように、入賞孔２４、排出孔２５、開閉部材２１Ａは、実施例１と同様であるため、同じ符号又は同様の符号を付して説明を省略する。
【００６０】
図９，図１０に示すように、閉塞部材５１は、開閉部材２１Ａとは別の別部材で構成され、盤面４ｃと直交する方向に開閉部材２１Ａと同じ幅を有する板状部材であり、軽量化し慣性モーメントを小さくして開閉動作の応答性を高めるため、例えば合成樹脂材料で軽量に構成されている。閉塞部材５１のアーム長は、開閉部材２１Ａのアーム長の約２分の１である。
【００６１】
閉塞部材５１は、第２大入賞口１４ａ内において入賞孔２４よりも上流側で且つ排出孔２５よりも上流側に設けられ、入賞孔２４と排出孔２５を択一的に開くように構成されている。閉塞部材５１は、その下端部に盤面４ｃと直交する枢支軸５２を有する。この枢支軸５２の後部が遊技盤４に固定した合成樹脂製の軸受け部材に回動自在に装着され、盤面４ｃと直交する軸回りに開閉動作して、開閉部材２１Ａが閉位置のとき排出孔２５を開放する開位置（図９参照）と、開閉部材２１Ａが開位置のとき排出孔２５を閉塞する閉位置（図１０参照）とに亙って移動可能に構成されている。また、図９に示すように、閉塞部材５１は、開位置のとき略直立姿勢となり、第２大入賞口１４ａ内に流入した遊技球Ｐの入賞孔２４への入球を排除するために入賞孔２４の上流側部位を閉鎖する。
【００６２】
図９，図１０に示すように、連動駆動機構５０は、遊技盤４よりも後方に形成されている。連動駆動機構５０は、開閉部材２１Ａと閉塞部材５１を連動連結する平行リンク機構５３と、開閉部材２１Ａと閉塞部材５１を駆動する共通の１つのソレノイドアクチュエータ５４とを有する。
【００６３】
ソレノイドアクチュエータ５４は、遊技盤４の後方に遊技盤４と平行に配設されている。ソレノイドアクチュエータ５４の出力軸５４ａの先端には、出力軸５４ａと直交する作動ピン５５が一体成形され、作動ピン５５は出力軸５４ａの先端から前方へ突出している。
【００６４】
平行リンク機構５３は、遊技盤４と平行に左右方向に所定長さを有するリンク部材５６と、このリンク部材５６に連結され正面視にて上下方向に所定の長さを有する１対の連結部材５７ａ，５７ｂを備えている。リンク部材５６の中央部には作動ピン５５の直径の約１．２倍の長さの長穴５９が出力軸５４ａの軸心と直交状に形成され、長穴５９には作動ピン５５の先端が係合されている。
【００６５】
１対の連結部材５７ａ，５７ｂの上端部が、夫々、固定ピン５８を介してリンク部材５６の両端部に回転自在に連結されている。１対の連結部材５７ａ，５７ｂの下端部には、夫々、閉塞部材５１の枢支軸５２と、開閉部材２１Ａの枢支軸２６が一体的に固着されており、開閉部材２１Ａと閉塞部材５２は、上記の平行リンク機構５３を介して連動連結されている。
【００６６】
このように、リンク部材５６に形成した長穴５９に作動ピン５５を係合させ、ソレノイドアクチュエータ５４によりリンク部材５６を左右方向に移動させることにより、図９の状態と図１０の状態とに亙って駆動することができる。
【００６７】
以上説明した実施例２のパチンコ遊技機の作用、効果について説明する。
図１０に示すようにソレノイドアクチュエータ５４に通電して駆動すると（励磁状態）、ソレノイドアクチュエータ５４から遊技盤４と平行に直線状に伸長した出力軸５４ａが退入し、この退入動作に連動してリンク部材５６が所定ストローク左方へ移動する。このリンク部材５６の動作は、１対の連結部材５７ａ，５７ｂを介して開閉部材２１Ａと閉塞部材５１に伝達され、開閉部材２１Ａが閉位置から開位置に切り換わるのと並行して、閉塞部材５１が排出孔２５を開放する開位置（図９参照）から排出孔２５を閉塞する閉位置（図１０参照）に切り換わる。
【００６８】
このとき、閉塞部材５１の先端が開閉部材２１Ａの下端に当接し、開閉部材２１Ａの下端の上面と閉塞部材５１の上面とが同一面となり、遊技球Ｐを入賞孔２４に導く案内面６０が形成される。第２大入賞口１４ａに入賞した遊技球Ｐは、案内面６０を転動して入賞孔２４に導かれ、入賞孔２４を通過して第２大入賞口ＳＷ１４ｅで検出後、排出機構に誘導される。
【００６９】
図９に示すようにソレノイドアクチュエータ５４への通電を停止すると（消磁状態）、ソレノイドアクチュエータ５４から出力軸５４ａが伸長し、この伸長動作に連動してリンク部材５６が所定ストローク右方へ移動する。このリンク部材５６の動作は、１対の連結部材５７ａ，５７ｂを介して開閉部材２１Ａと閉塞部材５１に伝達され、開閉部材２１Ａが開位置から閉位置に切り換わるのと並行して、閉塞部材５１が閉位置（図１０参照）から開位置（図９参照）に切り換わる。
【００７０】
尚、この実施例２のパチンコ遊技機の制御系は、実施例１の図８に示す制御系と同様であるが、第２大入賞口ソレノイド３４の代わりに第２大入賞口ソレノイド５４が接続される。
【００７１】
閉塞部材５１は、開閉部材２１Ａが開位置のとき排出孔２５を閉塞するので、規定入賞球数に達するまでは遊技球Ｐを入賞孔２４に確実に導くことができる。また、規定入賞数に達すると直ちに開閉部材２１Ａと閉塞部材５１が移動して、開閉部材２１Ａが閉位置に移動したとき閉塞部材５１が開位置へ移動して排出孔２５を開放するので、遊技球Ｐが入賞孔２４よりも上流側の排出孔２４に流入するため、規定入賞球数に達した後は遊技球Ｐを排出孔２５に確実に導くことができる。
【００７２】
開閉部材２１Ａが開位置から閉位置へ移動する間に遊技球Ｐが第２大入賞口１４ａに入賞した場合、閉塞部材５１により入賞孔２４への遊技球Ｐの流入が阻止されて、遊技球Ｐが排出孔２５へ流入するように誘導されるので、規定入賞球数を超えた遊技球Ｐの超過入賞を排除して、その超過入賞数分の賞球の払い出しを極力減らすことができる。
【００７３】
開閉部材２１Ａと閉塞部材５１を１つの共通のソレノイドアクチュエータ５４で駆動できるので、製作費の低減を図ることができる。
【００７４】
前記実施例２を部分的に変更する例について説明する。
１〕連動駆動機構５０は、実施例の機構に限定されるものではなく、その他、開閉部材２１Ａと閉塞部材５１を連動連結して駆動する構成のものであればよい。
【００７５】
２〕前記実施例の開閉部材２１Ａと閉塞部材５１の形状及び大きさは、その一例として示したに過ぎず、それらの機能を損なわない範囲内で適宜変更してもよい。
【００７６】
３〕実施例では、開閉部材２１Ａと閉塞部材５１とを連動連結して開閉動作を駆動させるために平行リンク機構５３を採用したが、開閉部材２１Ａを開閉動作させるソレノイドアクチュエータを設けると共に、閉塞部材５１を開閉動作させるソレノイドアクチュエータであって、ソレノイドアクチュエータとは別体のソレノイドアクチュエータを設けてもよい。
この場合、開閉部材２１Ａは、実施例１と同様の駆動機構２３でもって開閉動作し、閉塞部材５１も実施例１と同様の駆動機構２３でもって開閉動作するように構成するので、平行リンク機構５３を設ける必要がない。
【００７７】
４〕実施例１の変更例３〕，４〕は、実施例２にも適用可能である。
【実施例３】
【００７８】
次に、実施例３のパチンコ遊技機について図１１，図１２に基づいて説明する。尚、実施例１と同様の構成部材については同様の符号を付してその説明を省略する。
図１１，図１２に示すように、第２大入賞口装置１４Ｂは、第２大入賞口１４ａ内に形成された入賞孔２４及び規定入賞球数を超えた遊技球Ｐを排出するための排出孔２５と、盤面４ｃと直交する軸回りに開閉動作する開閉部材２１Ｂと、開閉部材２１Ｂを駆動する駆動機構と、開閉部材２１Ｂの開閉動作に連動して排出孔２５を開閉可能な閉塞部材６２と、閉塞部材６２を移動駆動する移動駆動機構６１とを備えている。入賞孔２４と、排出孔２５と、開閉部材２１Ｂは、実施例１と同様であるため、同じ符号又は同様の符号を付して説明を省略する。
【００７９】
図１１，図１２に示すように、閉塞部材６２は、入賞孔２４と排出孔２５を択一的に開く第１閉塞体６３と第２閉塞体６４とを有する。図１１に示すように、第１閉塞体６３は、正面視にて上下方向に所定の幅を有する長方形の板状部材であり、盤面４ｃに形成した摺動穴６５から盤面４ｃと直交方向へ出没自在に移動し、盤面４ｃから前方へ突出して入賞孔２４の上流側部位を閉じる閉位置と、盤面４ｃに退入して入賞孔２４の上流側部位を開放する開位置とに亙って位置切換え自在に構成されている。
【００８０】
第２閉塞体６４は、正面視にて左右方向に所定の幅を有する長方形の板状部材であり、第１閉塞体６３の左側下方近傍に設けられ、盤面４ｃに形成した摺動穴６６から盤面４ｃと直交方向へ出没自在に移動し、盤面４ｃから前方へ突出して排出孔２５を閉じる閉位置と、盤面４ｃより退入して排出孔２５を開放する開位置とに亙って位置切換え自在に構成されている。
【００８１】
図１２に示すように、移動駆動機構６１は、第１閉塞体６３に一体成形した第１ラック形成体６７及び第１ラック部６７ａと、第２閉塞体６４に一体成形した第２ラック形成体６８及び第２ラック部６８ａと、第１，第２ラック部６７ａ，６８ａ間に装着されたピニオン６９とを含むラックピニオン機構７０と、第１，第２閉塞体６３，６４を駆動する共通の１つのソレノイドアクチュエータ７１とを有する。
【００８２】
第１ラック形成体６７は、第１閉塞体６３の後部の下端に連なっている。遊技盤４の裏面にはピニオン６９を回転自在に支持する支持部材７２が固定的に設けられ、支持部材７２には支持軸７２ａが設けられ、この支持軸７２ａにピニオン６９が回転自在に支持されている。
【００８３】
第２ラック形成体６８は、第２閉塞体６４の後部の下端に連なっている。ピニオン６９は、第１，２ラック部６７ａ，６８ａに歯合している。ソレノイドアクチュエータ７１は、遊技盤４の後方に配設され遊技盤４に固定されている。ソレノイドアクチュエータ７１の出力ロッド７１ａの先端には、第１閉塞体６３の後端部が連結されている。
【００８４】
ソレノイドアクチュエータ７１により第１閉塞体６３が前後方向に移動すると、第１閉塞体６３の動作がラックピニオン機構７０を介して第２閉塞体６４に伝達され、第２閉塞体６４は第１閉塞体６３と反対方向へ同速度で移動する。
【００８５】
開閉部材２１Ｂは、前記の移動駆動機構６１とは別に設けられた駆動機構により駆動されている。この駆動機構はソレノイドアクチュエータ３４を備え、実施例１の駆動機構２３と同様の構成であるので説明を省略する。
【００８６】
次に、実施例３のパチンコ遊技機の作用、効果について説明する。
駆動機構のソレノイドアクチュエータ３４に通電して駆動すると（励磁状態）、開閉部材２１Ｂが閉位置（図１１参照）から図１１に示す矢印方向に移動して開位置となり、第２大入賞口１４ａが開放される。第２大入賞口１４ａが開放される際、移動駆動機構６１のソレノイドアクチュエータ７１に通電して駆動すると（励磁状態）、出力ロッド７１ａが所定ストローク退入作動して、この退入作動に連動して第１閉塞体６３が所定ストローク後方へ移動して、閉位置（図１１参照）から図１１に示す矢印方向へ移動して盤面４ｃに退入して入賞孔２４の上流側部を開放する開位置となる。
【００８７】
上記の第１閉塞体６３の動作は、ラックピニオン機構７０により第２ラック形成体６８に伝達され、第２閉塞体６４は所定ストローク前方へ移動して、第１閉塞体６３が閉位置から開位置に切り換わるのと並行して、開位置（図１１参照）から図１１に示す矢印方向へ移動して盤面４ｃから進出して排出孔２５を閉じる閉位置となる。
【００８８】
一方、駆動機構のソレノイドアクチュエータ３４への通電を停止すると（消磁状態）、開閉部材２１Ｂが開位置から閉位置（図１１参照）に移動して第２大入賞口１４ａが閉塞される。
第２大入賞口１４ａが閉塞される際、移動駆動機構６１のソレノイドアクチュエータ７１への通電を停止すると（消磁状態）、出力ロッド７１ａが所定ストローク伸長作動して、この伸長作動に連動して第１閉塞体６３が所定ストローク前方へ移動して、開位置から盤面４ｃより前方へ突出して入賞孔２４の上流側部位を閉じる閉位置（図１１参照）となる。
【００８９】
上記の第１閉塞体６３の動作は、ラックピニオン機構７０により第２ラック形成体６８に伝達され、第２閉塞体６４は所定ストローク後方へ移動して、第１閉塞体６３が開位置から閉位置に切り換わるのと並行して、第２閉塞体６４が閉位置から盤面４ｃより退入して排出孔２５を開放する開位置（図１１参照）となる。
尚、このパチンコ遊技機の制御系は、実施例１の図８に示す制御系において、駆動機構の第２大入賞口ソレノイド３４と、移動駆動機構６１の第２大入賞口ソレノイド７１とが接続される。
【００９０】
開閉部材２１Ｂが第２大入賞口１４ａを開放する開位置のとき、第１閉塞体６３は入賞孔２４の上流側部位を開放し、第２閉塞体６４は排出孔２５を閉塞するので、規定入賞球数に達するまでは遊技球Ｐを入賞孔２４に確実に導くことができる。一方、規定入賞球数に達すると、直ちに、開閉部材２１Ｂが開位置から第２大入賞口１４ａを閉塞する閉位置へ移動するとともに、第１閉塞体６３が入賞孔２４の上流側部位を閉鎖し、第２閉塞体６４が排出孔２５を開放するので、超過入賞した遊技球Ｐの入賞孔２４への流入が阻止され、規定入賞球数を超えた遊技球Ｐの超過入賞を排除して、その超過入賞数分の賞球の払い出しを極力減らすことができる。
【００９１】
前記実施例３を部分的に変更する例について説明する。
１〕実施例では、ラックピニオン機構７０を作動させる駆動手段として、ソレノイドアクチュエータ７１を用いたが、ソレノイドアクチュエータ７１の代わりに電動モータを用いてもよい。また、電動モータの出力軸をピニオン６９を回転自在に支持する支持軸７２ａに連結してもよい。
【００９２】
２〕実施例では、第１，第２閉塞体６３，６４を進退動作させるためにラックピニオン機構７０を採用したが、その他、第１閉塞体６３を進退移動させるソレノイドアクチュエータを設けると共に、第２閉塞体６４を進退移動させるソレノイドアクチュエータを駆動するソレノイドアクチュエータであって、ソレノイドアクチュエータとは別体のソレノイドアクチュエータを設けてもよい。
この場合、ソレノイドアクチュエータの出力軸の先端が第１閉塞体６３の後端部に直接固着され、ソレノイドアクチュエータの出力軸の先端が第２閉塞体６４の後端部に直接固着されるので、ラックピニオン機構７０を設ける必要がない。
【００９３】
３〕実施例１の変更例３〕，４〕は、実施例３にも適用可能である。
４〕その他、当業者であれば、本発明の趣旨を逸脱することなく、前記実施例１〜３に種々の変更を付加した形態が実施可能であり、本発明はそのような変更形態を包含するものである。
【図面の簡単な説明】
【００９４】
【図１】本発明の実施例１のパチンコ遊技機の正面図である。
【図２】遊技盤の正面図である。
【図３】遊技盤要部と第２大入賞口装置（退避位置）の縦断面図である。
【図４】遊技盤要部と第２大入賞口装置（進出位置）の縦断面図である。
【図５】開閉部材と駆動機構の斜視図である。
【図６】図４のＶＩ−ＶＩ線断面図である。
【図７】図４のＶＩＩ−ＶＩＩ線断面図である。
【図８】パチンコ遊技機の制御系ブロック図である。
【図９】実施例２の遊技盤要部と第２大入賞口装置（退避位置）の縦断面図である。
【図１０】実施例２の遊技盤要部と第２大入賞口装置（進出位置）の縦断面図である。
【図１１】実施例３の遊技盤要部と第２大入賞口装置の一部を示す縦断面図である。
【図１２】移動駆動機構の斜視図である。
【符号の説明】
【００９５】
Ｐ      遊技球
１      パチンコ遊技機
４      遊技盤
４ｃ    盤面
１４，１４Ａ，１４Ｂ  第２大入賞口装置
１４ａ  第２大入賞口
２４    入賞孔
２５    排出孔
２１，２１Ａ，２１Ｂ    開閉部材
２２，５１，６２  閉塞部材
２３    駆動機構
３４    ソレノイドアクチュエータ（駆動手段）
５０    連動駆動機構
５４    ソレノイドアクチュエータ（駆動手段）
６１    移動駆動機構
６３    第１閉塞体
６４    第２閉塞体
６５、６６  摺動穴
６７    第１ラック部
６８    第２ラック部
６９    ピニオン
７０    ラックピニオン機構
７１    ソレノイドアクチュエータ（駆動手段）
【図１】
2010068945.tif 000003
【図２】
2010068945.tif 000004
【図３】
2010068945.tif 000005
【図４】
2010068945.tif 000006
【図５】
2010068945.tif 000007
【図６】
2010068945.tif 000008
【図７】
2010068945.tif 000009
【図８】
2010068945.tif 000010
【図９】
2010068945.tif 000011
【図１０】
2010068945.tif 000012
【図１１】
2010068945.tif 000013
【図１２】
2010068945.tif 000014